【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  ヒトにおいて脈管形成を誘導するための単位用量組成物であって、約０．００８ｍｇ〜約７．２ｍｇの、ＦＧＦ−２またはその脈管形成活性フラグメントもしくは脈管形成活性ムテインを薬学的に受容可能なキャリア中に含む、組成物。
【請求項２】  請求項１に記載の単位用量組成物であって、０．３ｍｇ〜３．５ｍｇの、ＦＧＦ−２またはその脈管形成活性フラグメントもしくは脈管形成活性ムテインを含む、組成物。
【請求項３】  請求項１に記載の単位用量組成物であって、前記ＦＧＦ−２が配列番号２のアミノ酸配列を有する、組成物。
【請求項４】  請求項３に記載の単位用量組成物であって、０．３ｍｇ〜３．５ｍｇの、配列番号２のＦＧＦ−２またはその脈管形成活性フラグメントもしくは脈管形成活性ムテインを薬学的に受容可能なキャリア中に含む、組成物。
【請求項５】  請求項３に記載の単位用量組成物であって、約０．００８ｍｇ〜約７．２ｍｇの、前記配列番号２のＦＧＦ−２の前記脈管形成活性ムテインを薬学的に受容可能なキャリア中に含む、組成物。
【請求項６】  請求項５に記載の単位用量組成物であって、０．３ｍｇ〜３．５ｍｇの、前記配列番号２のＦＧＦ−２の前記脈管形成活性ムテインを薬学的に受容可能なキャリア中に含む、組成物。
【請求項７】  請求項３に記載の単位用量組成物であって、約０．００８ｍｇ〜約７．２ｍｇの、前記配列番号２のＦＧＦ−２の前記脈管形成活性フラグメントを薬学的に受容可能なキャリア中に含む、組成物。
【請求項８】  請求項７に記載の単位用量組成物であって、０．３ｍｇ〜３．５ｍｇの、前記配列番号２のＦＧＦ−２の前記脈管形成活性フラグメントを薬学的に受容可能なキャリア中に含む、組成物。
【請求項９】  請求項３に記載の単位用量組成物であって、約０．００８ｍｇ〜約７．２ｍｇの、前記配列番号２のＦＧＦ−２を薬学的に受容可能なキャリア中に含む、組成物。
【請求項１０】  冠状動脈疾患に関してヒト患者を処置するための組成物であって、該組成物は、該冠状動脈疾患に関する処置が必要なヒト患者中の１つ以上の冠状血管または１つの末梢静脈への投与に適した、安全かつ治療的に有効な量の、組換えＦＧＦ−２またはその脈管形成活性フラグメントもしくは脈管形成活性ムテインを含み、該治療的に有効な量が患者の体重について約０．２μｇ／ｋｇ〜４８μｇ／ｋｇである、組成物。
【請求項１１】  請求項１０に記載の組成物であって、前記組換えＦＧＦ−２が配列番号２のアミノ酸配列を有する、組成物。
【請求項１２】  請求項１１に記載の組成物であって、前記配列番号２の組換えＦＧＦ−２または前記その脈管形成活性フラグメントもしくは脈管形成活性ムテインの前記投与の約０〜３０分以内前に、前記ヒト患者に投与するのに適した、約１０Ｕ／ｋｇ〜８０Ｕ／ｋｇのヘパリンをさらに含む、組成物。
【請求項１３】  請求項１２に記載の組成物であって、前記治療的に有効な量の、配列番号２の組換えＦＧＦ−２またはその脈管形成活性フラグメントもしくは脈管形成活性ムテインが、１つ以上の冠状血管への投与に適している、組成物。
【請求項１４】  請求項１３に記載の組成物であって、前記配列番号２の組換えＦＧＦ−２またはその脈管形成活性フラグメントもしくは脈管形成活性ムテインの、治療的に有効な量が、約２４μｇ／ｋｇ〜４８μｇ／ｋｇである、組成物。
【請求項１５】  請求項１２に記載の組成物であって、前記治療的に有効な量の、配列番号２の組換えＦＧＦ−２またはその脈管形成活性フラグメントもしくは脈管形成活性ムテインが、１つの末梢静脈への投与に適している、組成物。
【請求項１６】  請求項１５に記載の組成物であって、前記配列番号２の組換えＦＧＦ−２またはその脈管形成活性フラグメントもしくは脈管形成活性ムテインの、治療的に有効な量が、約１８μｇ／ｋｇ〜３６μｇ／ｋｇである、組成物。
【請求項１７】  冠状動脈疾患に関してヒト患者を処置するための組成物であって、該組成物は、冠状動脈疾患に関する処置が必要なヒト患者中の１つ以上の冠状血管または１つの末梢静脈への投与に適した、一単位用量の、組換えＦＧＦ−２またはその脈管形成活性フラグメントもしくは脈管形成活性ムテインを含み、該単位用量が、組換えＦＧＦ−２またはその脈管形成活性フラグメントもしくは脈管形成活性ムテイン約０．００８ｍｇ〜７．２ｍｇを含む、組成物。
【請求項１８】  請求項１７に記載の組成物であって、前記ＦＧＦ−２が配列番号２のアミノ酸配列を有する、組成物。
【請求項１９】  請求項１８に記載の組成物であって、前記一単位用量が、前記ヒト患者において少なくとも４ヶ月続く治療利益を生成する、組成物。
【請求項２０】  請求項１９に記載の組成物であって、前記一単位用量が、前記ヒト患者において少なくとも６ヶ月続く治療利益を生成する、組成物。
【請求項２１】  請求項２０に記載の組成物であって、前記一単位用量が、前記ヒト患者において、第２回の単位用量の投与が約６ヶ月間必要でないような効果の大きさおよび持続期間の治療利益を生じる、組成物。
【請求項２２】  請求項２０に記載の組成物であって、前記一単位用量が、１つ以上の冠状動脈への投与に適している、組成物。
【請求項２３】  請求項２０に記載の組成物であって、前記一単位用量が、１つの末梢静脈への投与に適している、組成物。
【請求項２４】  請求項２０に記載の組成物であって、前記単位用量が、組換えの配列番号２のＦＧＦ−２またはその脈管形成活性フラグメントもしくは脈管形成活性ムテイン０．３ｍｇ〜３．５ｍｇを含む、組成物。
【請求項２５】  請求項１９に記載の組成物であって、前記患者に対して、前記単位用量の前記投与の約０〜３０分前に、静脈内または冠状動脈内投与するのに適した、１０Ｕ／ｋｇ〜８０Ｕ／ｋｇのヘパリンをさらに包む、組成物。
【請求項２６】  ヒト患者の心臓において脈管形成を誘導するための組成物であって、該組成物は、冠状動脈疾患についての処置を必要とするヒト患者中の１つ以上の冠状動脈血管または１つの末梢静脈への投与に適した、一単位用量の、組換えＦＧＦ−２またはその脈管形成活性フラグメントもしくは脈管形成活性ムテインを含み、該単位用量は、組換えＦＧＦ−２またはその脈管形成活性フラグメントもしくは脈管形成活性ムテイン約０．００８ｍｇ〜７．２ｍｇを含む、組成物。
【請求項２７】  請求項２６に記載の組成物であって、前記ＦＧＦ−２が配列番号２のアミノ酸配列を有する、組成物。
【請求項２８】  請求項２７に記載の組成物であって、前記一単位用量が、前記ヒト患者において、１つ以上の臨床的終点の少なくとも４ヶ月続く改良を生じる、組成物。
【請求項２９】  請求項２８に記載の組成物であって、前記一単位用量が、前記ヒト患者において、１つ以上の臨床的終点の６ヶ月続く改良を生じる、組成物。
【請求項３０】  心筋梗塞についてヒト患者を処置するための組成物であって、該組成物は、該ヒト患者中の１つ以上の冠状動脈血管または１つの末梢静脈への投与に適した、一単位用量の、組換えＦＧＦ−２またはその脈管形成活性フラグメントもしくは脈管形成活性ムテインを含み、該単位用量は、組換えＦＧＦ−２またはその脈管形成活性フラグメントもしくは脈管形成活性ムテイン約０．００８ｍｇ〜７．２ｍｇを含む、組成物。
【請求項３１】  請求項３０に記載の組成物であって、前記患者に対して、前記単位用量を投与する約０〜３０分前に、静脈内または冠状動脈内投与するのに適した、１０Ｕ／ｋｇ〜８０Ｕ／ｋｇのヘパリンをさらに包む、組成物。
【請求項３２】  請求項３１に記載の組成物であって、前記ＦＧＦ−２が配列番号２のアミノ酸配列を有する、組成物。
【請求項３３】  請求項３０に記載の組成物であって、前記一単位用量が１つの末梢静脈への投与に適している、組成物。
【請求項３４】  請求項３０に記載の組成物であって、前記一単位用量が、前記患者の１つ以上の冠状血管への投与に適している、組成物。